【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
記録すべき情報に基づいて複数でなる所定数の記録光及び当該記録光の位置制御に使用される位置制御光を集光し、ディスク状でなる光情報記録媒体に対して照射する対物レンズと、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動部と、
上記所定数の記録光の収束状態を変化させることにより、上記対物レンズが上記光情報記録媒体に対して近接及び離隔する深さ方向に、上記位置制御光の焦点から上記所定数の記録光の焦点を任意の距離だけ離隔させ、上記所定数の記録光の焦点を当該記録光が照射されるべき目標深さに合わせる焦点移動部と、
上記ガイドトラックに対応して上記所定数だけ想定されている仮想トラックに上記所定数の記録光の焦点をそれぞれ位置させることにより、上記所定数の記録光に基づく上記所定数の記録マークを上記ガイドトラックに沿って形成させる焦点位置設定部と
を有する光情報記録装置。
【請求項２】
上記焦点位置設定部は、
上記所定数の記録光の光軸を互いに傾斜させることにより、上記所定数の仮想トラックに上記所定数の記録光の焦点をそれぞれ位置させる
請求項１に記載の光情報記録装置。
【請求項３】
上記所定数の記録光を出射する所定数の光源
を有し、
上記焦点位置設定部は、
上記所定数の光源から発射されるときにおける上記所定数の記録光の光軸を互いに傾斜させる
請求項２に記載の光情報記録装置。
【請求項４】
光を出射する光源と、
上記光を上記所定数の記録光に分離する分離部と、
記録すべき情報に基づいて上記所定数の記録光を上記記録すべき情報に応じてそれぞれ変調する変調部と
を有する請求項１に記載の光情報記録装置。
【請求項５】
上記位置制御光を透過させる一方、上記対物レンズに入射するときに上記所定数の記録光の光強度がほぼ均等になるように選定された割合で当該記録光を透過及び反射、又は当該記録光の殆ど全てを反射させることにより、上記所定数の記録光及び位置制御光を合成して上記対物レンズに入射する所定数のダイクロイックプリズム
を有する請求項１に記載の光情報記録装置。
【請求項６】
上記対物レンズは、
互いの位置関係が固定された複数の対物レンズからなる
請求項１に記載の光情報記録装置。
【請求項７】
上記光情報記録媒体は、予め一様なホログラムが形成され、
上記所定数の記録光により上記情報を記録する際、上記記録すべき情報に基づいて上記所定数の記録光の光強度をそれぞれ制御することにより、上記ホログラムが局所的に破壊されてなる上記記録マークを形成させる記録制御部
を有する請求項１に記載の光情報記録装置。
【請求項８】
上記光情報記録媒体は、一様に所定の反射率を有し、
上記所定数の記録光により上記情報を記録する際、上記記録すべき情報に基づいて上記所定数の記録光の光強度をそれぞれ制御することにより、上記光情報記録媒体の局所的な変質によって上記反射率が変化されてなる上記記録マークを形成させる記録制御部
を有する請求項１に記載の光情報記録装置。
【請求項９】
記録すべき情報に基づく所定数の記録光を所定数の第１及び第２の記録光にそれぞれ分離する分離部と、
上記所定数の第１及び第２の記録光並びに当該第１の記録光の位置制御に使用される位置制御光を集光し、ディスク状でなる光情報記録媒体に対して照射する対物レンズと、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動部と、
上記所定数の第１の及び第２の記録光の収束状態を変化させることにより、上記対物レンズが上記光情報記録媒体に対して近接及び離隔する深さ方向に、上記位置制御光の焦点から上記所定数の第１及び第２の記録光の焦点をそれぞれ任意の距離だけ離隔させ、上記所定数の第１及び第２の記録光の焦点を当該記録光が照射されるべき目標深さで互いに反対方向から重ね合わせる焦点移動部と、
上記ガイドトラックに対応して上記所定数だけ想定されている仮想トラックに上記所定数の第１及び第２の記録光の焦点をそれぞれ位置させることにより、上記所定数の第１及び第２の記録光に基づくホログラムでなる上記所定数の記録マークを上記ガイドトラックに沿って形成させる焦点位置設定部と
を有する光情報記録装置。
【請求項１０】
上記対物レンズは、
上記第１の記録光を上記光情報記録媒体に対して照射する第１の対物レンズと、上記光情報記録媒体において上記第１の記録光が照射される面とは反対の面から、上記光情報記録媒体に対して上記第２の記録光を照射する第２の対物レンズとを有する
請求項９に記載の光情報記録装置。
【請求項１１】
記録すべき情報に基づく所定数の記録光及び位置制御用に使用される位置制御光をディスク状でなる光情報記録媒体に対して照射して情報を表す記録マークを形成する光情報記録方法において、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動ステップと、
上記所定数の記録光の収束状態を変化させることにより、上記対物レンズが上記光情報記録媒体に対して近接及び離隔する深さ方向に、上記位置制御光の焦点から上記所定数の記録光の焦点を任意の距離だけ離隔させ、上記所定数の記録光の焦点を当該記録光が照射されるべき目標深さに合わせる焦点移動ステップと、
上記ガイドトラックに対応して上記所定数だけ想定されている仮想トラックに上記所定数の記録光の焦点をそれぞれ位置させることにより、上記所定数の記録光に基づく上記所定数の記録マークを上記ガイドトラックに沿って形成させる焦点位置設定ステップと
を有する光情報記録方法。
【請求項１２】
所定数の読出光及び当該読出光の位置制御に使用される位置制御光をディスク状でなる光情報記録媒体に対して照射する対物レンズと、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動部と、
上記所定数の読出光の収束状態を変化させることにより、上記対物レンズが上記光情報記録媒体に対して近接及び離隔する深さ方向に、上記位置制御光の焦点から上記所定数の読出光の焦点を任意の距離だけ離隔させ、上記所定数の読出光の焦点を当該読出光が照射されるべき目標深さに合わせる深さ方向焦点移動部と、
上記ガイドトラックに対応して上記所定数だけ想定されている仮想トラックに上記所定数の読出光の焦点をそれぞれ位置させる焦点位置設定部と、
上記所定数の読出光が上記光情報記録媒体によって反射されてなる上記所定数の反射光をそれぞれ検出する検出部と
を有する光情報再生装置。
【請求項１３】
上記焦点位置設定部は、
上記所定数の記録光の光軸を互いに傾斜させることにより、上記所定数の記録光の焦点を上記仮想トラックに位置させる
請求項１２に記載の光情報再生装置。
【請求項１４】
上記対物レンズは、
上記所定数は二であり、
上記二の読出光における偏光方向の差異を利用して当該二の読出光に基づく二の反射光を分離して上記検出部にそれぞれ検出させる反射光分離部
を有する請求項１２に記載の光情報再生装置。
【請求項１５】
上記光情報記録媒体は、一様に所定の反射率を有すると共に当該光情報記録媒体が局所的に変質され上記反射率が変化されることにより上記記録マークが形成され、
上記検出部は、
上記反射率の変化に伴い変化する上記所定数の反射光をそれぞれ検出する
請求項１２に記載の光情報再生装置。
【請求項１６】
所定数の読出光及び当該読出光の位置制御に使用される位置制御光を集光し、ディスク状でなる光情報記録媒体に対して照射する光情報再生方法において、
上記光情報記録媒体に形成され上記位置制御光の少なくとも一部を反射させる反射層において螺旋状に形成されたガイドトラックに対し、上記位置制御光を合焦させるよう上記対物レンズを駆動する対物レンズ駆動ステップと、
上記所定数の読出光の収束状態を変化させることにより、上記対物レンズが上記光情報記録媒体に対して近接及び離隔する深さ方向に、上記位置制御光の焦点から上記所定数の読出光の焦点を任意の距離だけ離隔させ、上記所定数の読出光の焦点を当該読出光が照射されるべき目標深さに合わせる深さ方向焦点移動ステップと、
上記ガイドトラックに対応して上記所定数だけ想定されている仮想トラックに上記所定数の読出光の焦点をそれぞれ位置させる焦点位置設定ステップと、
上記所定数の読出光が上記光情報記録媒体によって反射されてなる上記所定数の反射光をそれぞれ検出する上記所定数の検出ステップと
を有する光情報再生方法。
【請求項１７】
所定の強度以上でなる記録光の照射に応じて記録マークを形成する記録層と、
上記記録マークの位置制御のための位置制御光の少なくとも一部を反射し、上記記録マークが記録されると想定される複数の仮想トラックごとに、上記位置制御光が照射されるガイドトラックが螺旋状に形成されている
を有する光情報記録媒体。
【請求項１８】
上記記録層は、
予め一様なホログラムが形成されており、
上記記録光により上記情報を記録する際、上記ホログラムが局所的に破壊されることにより、上記記録マークを形成する
請求項１７に記載の光情報記録媒体。
【請求項１９】
上記記録層は、
一様に所定の反射率を有し、
上記記録光により上記情報を記録する際、局所的に変質して上記反射率が変化することにより、上記記録マークを形成する
請求項１７に記載の光情報記録媒体。
【請求項２０】
上記記録層は、
一様に所定の反射率を有し、
上記記録光により上記情報を記録する際、上記記録光としての第１及び第２の記録光による定在波によって形成されるホログラムでなる記録マークを形成する
請求項１７に記載の光情報記録媒体。
【手続補正２】
【補正対象書類名】明細書
【補正対象項目名】０１７９
【補正方法】変更
【補正の内容】
【０１７９】
さらに上述した第１の実施の形態においては、各ダイクロイックプリズム３５〜３６が赤色光ビームＬｒを透過させる一方、青色光ビームＬｂを所定の割合で透過及び反射、又は青色光ビームＬｂの殆ど全てを反射させるようにした場合について述べたが、本発明はこれに限らず、各ダイクロイックプリズム３５〜３６が赤色光ビームＬｒを反射させる一方、青色光ビームＬｂを所定の割合で透過及び反射、又は青色光ビームＬｂの殆ど全てを透過させて青色光ビームＬｂ及び赤色光ビームＬｒを合成するようにしても良い。